(57)【特許請求の範囲】
【請求項１】
浴室、シャワールーム等の壁面に取付けられた手すり等のパイプに沿ってスライドするスライド体の一側にシャワーヘッドを掛止する切欠を有するハンガー部をスライド体のスライド方向に直交する方向を軸線として回転可能な状態で設けるとともに、スライド体の他側に締付け用の操作レバーを設け、前記パイプをスライド体の両側から挟むための一対のパイプ受けをスライド体内に設け、前記操作レバーの締付け操作により前記パイプ受けを前記パイプに挟着させてシャワーヘッドを支持するシャワーハンガーであって、ハンガー部の前記切欠はシャワーヘッドを掛け外し自在に支持するよう形成され、かつ、一対のパイプ受けは前記パイプの径に応じて交換可能に設けられており、また、前記ハンガー部の傾斜角度がクリック機構により調節され、さらに、前記操作レバーを一方向または他方向のいずれに回動させても、パイプに対するスライド体の固定とその解除とが９０°毎に交互に行われるように構成されていることを特徴とするスライド式シャワーハンガー。
【発明の詳細な説明】
【０００１】
【発明の属する技術分野】
この発明は、浴室、シャワールーム等の壁面に取付けられた手すり等のパイプにシャワーヘッドをスライド可能に取付けるためのスライド式シャワーハンガーに関するものである。
【０００２】
【従来の技術】
従来この種のシャワーハンガーとして、スライド体の正面視左側に操作レバーが、スライド体の正面視右側にシャワーヘッドを掛止する切欠を有するハンガー部が、それぞれ位置するようスライド体を例えば縦手すりに固定し、ハンガー部をスライド体に対しスライド体のスライド方向に直交する方向を軸線として回転させることでハンガー部の傾斜角度を調節できるものや、ビスを用いたネジ操作によりスライド体を縦手すりに固定して使用者の身長等に合わせてシャワーの散水位置を可変にできるものが提案されている。
【０００３】
【発明が解決しようとする課題】
しかし、前者のシャワーハンガーにおいては、操作レバーとハンガー部を左右に逆転配置させて使用することはできなかった。
【０００４】
また、手すり表面には樹脂がコーティングされているから、後者のシャワーハンガーにおいては、ビスによる締付け操作により手すり表面に締め跡が残る。さらに、ネジ式なので締付け操作が煩わしい。
【０００５】
しかも、両者とも、限られたサイズのパイプ径を有する手すりにしか取付けできず、パイプ径に応じて複数種のシャワーハンガーを準備する必要があった。
【０００６】
この発明は、上記問題に鑑みてなしたもので、操作レバーを左右のどちらに配置しても使用できるとともに、異なるパイプ径でもシャワーハンガー自体を交換することなく容易に取付けでき、しかも締め跡が残らず簡単に締付け操作できるスライド式シャワーハンガーを提供することを目的としている。
【０００７】
【課題を解決するための手段】
上記目的を達成するために、この発明は、浴室、シャワールーム等の壁面に取付けられた手すり等のパイプに沿ってスライドするスライド体の一側にシャワーヘッドを掛止する切欠を有するハンガー部をスライド体のスライド方向に直交する方向を軸線として回転可能な状態で設けるとともに、スライド体の他側に締付け用の操作レバーを設け、前記パイプをスライド体の両側から挟むための一対のパイプ受けをスライド体内に設け、前記操作レバーの締付け操作により前記パイプ受けを前記パイプに挟着させてシャワーヘッドを支持するシャワーハンガーであって、ハンガー部の前記切欠はシャワーヘッドを掛け外し自在に支持するよう形成され、かつ、一対のパイプ受けは前記パイプの径に応じて交換可能に設けられており、また、前記ハンガー部の傾斜角度がクリック機構により調節され、さらに、前記操作レバーを一方向または他方向のいずれに回動させても、パイプに対するスライド体の固定とその解除とが９０°毎に交互に行われるように構成されている。
【０００８】
この発明では、前記操作レバーを一方向または他方向のいずれに回動させても、パイプに対するスライド体の固定とその解除とが９０°毎に交互に行われるように構成されているので、操作レバーを左右のどちらに配置しても使用できる。
【０００９】
また、パイプをスライド体の両側から挟むための一対のパイプ受けはパイプの径に応じて交換可能に設けられているので、パイプ径に応じて複数種のシャワーハンガーを準備する必要が無くなる。
【００１０】
【発明の実施の形態】
以下にこの発明のスライド式シャワーハンガーを図面を参照しつつ詳細に説明する。
図１〜図８において、１は、浴室、シャワールーム等の壁面に取付けられた、例えば縦手すり（以下、単に手すりという）で、２は、手すり１にガイドされてその立設方向（矢印Ａで示す方向）にスライドするスライド体である。前記手すり１は、ステンレス等のパイプからなり、表面には滑り難く握り易いように樹脂がコーティングされている。そして、スライド体２の正面視左側に操作レバー３が、スライド体２の正面視右側にシャワーヘッド４を掛止する切欠５を有するハンガー部６が、それぞれ位置するようスライド体２が手すり１の所定高さの位置に固定されている。
【００１１】
ハンガー部６は、前記立設方向に直交する方向（矢印Ｂで示す方向）を軸線７として矢印Ｃで示す方向に回転可能な状態で設けられており、後述するクリック機構によりハンガー部６の傾斜角度が調節される。
【００１２】
また、操作レバー３は矢印Ｆで示す方向に回動可能な状態で設けられており、この実施形態では、スライド体２を手すり１に固定するための締付け操作とスライド体２の手すり１に対する締付けを緩めて固定解除するための緩め操作が操作レバー３のレバー部３ａを矢印Ｆで示す方向に９０°回動させる度に交互に切換わる回動方式を採用している。すなわち、レバー部３ａが、図１のＰで示すように、下向きに位置するようセットされた場合と、上向きに位置するようセットされた場合は締付け操作が行われる一方、レバー部３ａが、図１のＱで示すように、後向きに水平に位置するようセットされた場合と、前向きに水平に位置するようセットされた場合には緩め操作が行われる。
【００１３】
８，９は、手すり１（パイプ）をスライド体２の両側から挟むための樹脂性のパイプ受けで、同一形状に形成されている。また、スライド体２は、パイプ挿通穴２ａを形成する曲面部１０，１１を有し、パイプ挿通穴２ａから操作レバー３側にセットされるパイプ受け８〔図３、図５、図７（Ｃ）参照〕は、スライド体２の操作レバー３側の曲面部１０〔図３、図５、図７（Ｂ）参照〕に形成された２つの縦孔１０ａ，１０ａを貫通する両足８ａ，８ａを有する。一方、パイプ受け９は、スライド体２のハンガー部６側の曲面部１１〔図３、図５参照〕に形成された２つの縦孔１１ａ，１１ａを貫通する両足９ａ，９ａを有する。例えば、パイプ受け８は、図４に示すように、中央にピン穴３０が形成された湾曲形状の胴部８ｂと足８ａ，８ａで構成され、胴部８ｂの湾曲部分ｎの形状は、手すり１のパイプ径（例えば、φ３４，φ３０，φ２８ｍｍ）に応じた曲率に設定されている。すなわち、パイプ受け８の両足８ａ，８ａ間の長さは３種のパイプ径で同一に設定されており、唯一湾曲部分ｎの曲率が異なる。よって、パイプ径に応じてパイプ受け８を交換するだけでよい。
【００１４】
１２，１３は、操作レバー３およびスライド体２間に設けられる同一形状のディスク〔図５参照〕で、ディスク１２は操作レバー３の締付け・緩め操作に連動して回動する回動ディスク、ディスク１３は矢印Ｂで示す方向にパイプ受け８と共にスライドするスライドディスクである。例えば、ディスク１２は中央を貫通するピン挿入用の穴１６を有し、操作レバー３側の面１２ａ〔図６（Ｂ）参照〕には、操作レバー３の係合突起１４とでディスク１２を操作レバー３に係止させるための係止溝１５が外周に形成され、さらに、ピン挿入用の穴１６に隣接して２個のボール溝１７が形成されている。一方、ディスク１３の操作レバー３側の面１３ａ〔図４参照〕にも同様のものが形成されている。また、ディスク１２のスライド体２側の面１２ｂには、ディスク１３のスライド体２側の面１３ｂと同様のものが形成されている。すなわち、ディスク１３の面１３ｂ〔図６（Ｃ）、図７（Ａ）参照〕には、ピン挿入用の穴１６の周りに、浅い窪み２０，２０および深い窪み２１，２１が９０°間隔で交互に形成されており、さらに、浅い窪み２０，２０に隣接して外方側に、パイプ受け８の両足８ａ，８ａの先端挿入部分ｍ，ｍ〔図３参照〕が嵌挿可能な大きさの溝１８，１８が形成されている。
【００１５】
２２は、ディスク１２，１３間に介装される２個のボールで、図９に示す緩め操作のときには、ディスク１２の深い窪み２１とディスク１３のボール溝１７にボール２２が嵌まり込む。この状態から、レバー部３ａを矢印Ｆで示す方向に９０°回動させると、ディスク１２も回動してボール２２がディスク１３のボール溝１７に嵌まり込んだ状態で、ディスク１２の深い窪み２１から浅い窪み２０に乗り移り、ディスク１２の浅い窪み２０とディスク１３のボール溝１７にボール２２が位置する〔図１０参照〕。このため、深い窪み２１と浅い窪み２０の深さ分に相当する長さ（＝Ｄ−ｄ）だけディスク１３がパイプ受け８と共に手すり側にスライドして手すり１が両側からパイプ受け８，９によって挟まれることで、スライド体２を手すり１に固定できる。
【００１６】
この締付け・緩め操作は、ピン３１、２つのスプリング３２，３３を用いて行われる。なお、３４は、ピン３１に形成された係止凹部３５に係入されるストッパ、３６はピン３１先端に位置するストッパである。
【００１７】
また、操作レバー３は、操作レバー３の内周溝４１にスライド体２の係止突起４０〔図２、図３参照〕を嵌め込むことで取付けられる。
【００１８】
一方、ハンガー部６は、ハンガー部６の内周溝５１にスライド体２の係止突起５２〔図２、図３参照〕を嵌め込むことで取付けられるとともに、図４、図８に示すように、板バネ５３をスライド体２に形成された溝５４に嵌め込む一方、ハンガー部６の対向する位置に、ハンガー部６の回転に伴って板バネ５３の頭５３ａに当接可能な溝５５を設けることで、ハンガー部６のクリック機構が構成されている。
【００１９】
更に、図２、図５に示すように、シャワーヘッド４を掛止する切欠５はテーパ部５ａを有する。すなわち、切欠５の上部は、シャワーヘッド４の取り付け部分の形状に合わせてテーパ状に形成されている。
【００２０】
而して、図９に示す緩め操作のときには、パイプ受け８，９間の中心距離はＤに設定されている。この状態で、スライド体２をパイプ挿通穴２ａを介して手すり１に挿入できる。そして、スライド体２が手すり１の所定高さの位置に来ると、レバー部３ａを９０°回動させる。このとき、ディスク１２も回動してボール２２がディスク１３のボール溝１７に嵌まり込んだ状態で、ディスク１２の深い窪み２１から浅い窪み２０に乗り移り、ディスク１２の浅い窪み２０とディスク１３のボール溝１７にボール２２が位置する〔図１０参照〕。このため、深い窪み２１と浅い窪み２０の深さ分に相当する長さ（＝Ｄ−ｄ）だけディスク１３がパイプ受け８と共に手すり側にスライドして手すり１が両側からパイプ受け８，９によって挟まれることで、スライド体２を手すり１に固定できる。
【００２１】
この実施形態では、以下のメリットがある。
（１）ハンガー部６の切欠５はシャワーヘッド４をスライド体２の軸線方向から掛け外し自在に支持するよう形成してあるので、操作レバー３を左右のどちらに配置しても使用できる。
（２）締付け操作、緩め操作の切り換えは、操作レバー３を９０°回動させるだけで行われるので、操作が容易で、かつ、ビスによる締付け操作のような大きな力を必要としない。
（３）シャワーハンガー自体を交換することなくパイプ受け８，９を交換するだけで異なる径（例えば、φ３４，φ３０，φ２８ｍｍ）の手すり１に簡単に取り付けできる。
（４）ハンガー部６の傾斜角度の調節が心地良いクリック感を伴ってできる。
（５）締付け・緩め操作をボール２２を用いて行ったので、操作レバー３の回転がスムーズである。
（６）パイプ受け８，９は樹脂性ものを用い、しかも手すり１に沿った形状の胴部８ｂを採用したので、スライド体２の位置を変えたとき、ビスによる締付け操作のように手すり表面に締め跡が残ることはない。
【００２２】
【発明の効果】
以上説明したように、この発明によれば、操作レバーを一方向または他方向のいずれに回動させても、パイプに対するスライド体の固定とその解除とが９０°毎に交互に行われるように構成されているので、操作レバーを左右のどちらに配置しても使用できる。
【００２３】
また、パイプをスライド体の両側から挟むための一対のパイプ受けはパイプの径に応じて交換可能に設けられているので、パイプ径に応じて複数種のシャワーハンガーを準備する必要が無くなる。
【図面の簡単な説明】
【図１】  この発明の一実施形態を示す全体斜視図である。
【図２】  上記実施形態における締付け状態を示す縦断正面図である。
【図３】  上記実施形態における締付け状態を示す横断平面図である。
【図４】  上記実施形態におけるスライド機構を示す分解斜視図である。
【図５】  上記実施形態におけるスライド機構を示す全体構成説明図である。
【図６】  上記実施形態における操作レバーの回動機構を説明するための図である。
【図７】  上記実施形態におけるパイプ受けのスライド機構を説明するための図である。
【図８】  上記実施形態におけるハンガー部のクリック機構を説明するための図である。
【図９】  上記実施形態における緩め操作を説明するための図である。
【図１０】  上記実施形態における締付け操作を説明するための図である。
【符号の説明】
１…手すり、２…スライド体、３…操作レバー、４…シャワーヘッド、５…切欠、６…ハンガー部、７…軸線、８，９…パイプ受け、Ａ…立設方向、Ｂ…立設方向に直交する方向。
【図１】
0003720917.tif 000002
【図２】
0003720917.tif 000003
【図３】
0003720917.tif 000004
【図４】
0003720917.tif 000005
【図５】
0003720917.tif 000006
【図６】
0003720917.tif 000007
【図７】
0003720917.tif 000008
【図８】
0003720917.tif 000009
【図９】
0003720917.tif 000010
【図１０】
0003720917.tif 000011